(57)【要約】  バンドリングルールを工夫することにより、システム伝送効率を向上できる端末装置及び応答信号送信方法。端末（２００）において、ＰＤＳＣＨ受信部（２０８）が、複数の下り単位バンドにそれぞれマッピングされるコードワードブロック（ＣＷＢ）群からなる、第１のコードワード及び第２のコードワードを受信すると共に、各ＣＷＢの誤りを検出し、Ａ／Ｎバンドリング部（２１６）が、第１のバンドリンググループ及び第２のバンドリンググループのいずれかに各ＣＷＢを対応づけるバンドリングルールに基づいて、誤り検出結果をバンドリンググループ毎に１つに纏めた束応答信号を送信する。バンドリングルールでは、第１のバンドリンググループ及び第２のバンドリンググループの少なくともいずれか一方に、第１のコードワードに属するＣＷＢ及び第２のコードワードに属するＣＷＢの両方が含まれる。
2011083755.tif 000002
【特許請求の範囲】
【請求項１】
複数の下り単位バンドにそれぞれマッピングされるコードワードブロック群からなる、第１のコードワード及び第２のコードワードを受信する受信手段と、
各コードワードブロックの誤りを検出する誤り検出手段と、
第１のバンドリンググループ及び第２のバンドリンググループのいずれかに各コードワードブロックを対応づけるバンドリングルールに基づいて、前記誤り検出結果をバンドリンググループ毎に１つに纏めた束応答信号を送信する送信手段と、
を具備し、
前記バンドリングルールでは、前記第１のバンドリンググループ及び前記第２のバンドリンググループの少なくともいずれか一方に、前記第１のコードワードに属するコードワードブロック及び前記第２のコードワードに属するコードワードブロックの両方が含まれる、
端末装置。
【請求項２】
前記バンドリングルールでは、任意の下り単位バンドにおける前記第１のコードワードに属するコードワードブロック及び前記第２のコードワードに属するコードワードブロックと、前記第１のバンドリンググループ及び第２のバンドリンググループとの対応関係が、前記任意の下り単位バンドの識別番号に応じて入れ替わる、
請求項１に記載の端末装置。
【請求項３】
前記識別番号は、実際にコードワードブロックがマッピングされた下り単位バンド群の中でリナンバリングされた識別番号である、
請求項２に記載の端末装置。
【請求項４】
前記受信手段は、前記第１のコードワード及び前記第２のコードワードを複数のサブフレームに亘って受信し、
前記送信手段は、前記複数のサブフレームで受信した前記第１のコードワード及び前記第２のコードワードの全体に対して、前記束応答信号を送信し、
前記バンドリングルールでは、下り単位バンドの識別番号及びサブフレームの識別番号の組み合わせに応じて、前記第１のコードワードに属するコードワードブロック及び前記第２のコードワードに属するコードワードブロックと、前記第１のバンドリンググループ及び第２のバンドリンググループとの対応関係が、入れ替わる、
請求項１に記載の端末装置。
【請求項５】
前記受信手段は、前記第１のコードワード及び前記第２のコードワードを複数のサブフレームに亘って受信し、
前記送信手段は、前記複数のサブフレームで受信した前記第１のコードワード及び前記第２のコードワードの全体に対して、前記束応答信号を送信し、
前記バンドリングルールでは、下り単位バンドの識別番号に応じて、前記第１のコードワードに属するコードワードブロック及び前記第２のコードワードに属するコードワードブロックと、前記第１のバンドリンググループ及び第２のバンドリンググループとの対応関係が、入れ替わる、
請求項１に記載の端末装置。
【請求項６】
前記受信手段は、前記第１のコードワード及び前記第２のコードワードを複数のサブフレームに亘って受信し、
前記送信手段は、前記複数のサブフレームで受信した前記第１のコードワード及び前記第２のコードワードの全体に対して、前記束応答信号を送信し、
前記バンドリングルールでは、サブフレームの識別番号に応じて、前記第１のコードワードに属するコードワードブロック及び前記第２のコードワードに属するコードワードブロックと、前記第１のバンドリンググループ及び第２のバンドリンググループとの対応関係が、入れ替わる、
請求項１に記載の端末装置。
【請求項７】
複数の下り単位バンドにそれぞれマッピングされるコードワードブロック群からなるコードワードを受信する受信手段と、
各コードワードブロックの誤りを検出する誤り検出手段と、
第１のバンドリンググループ及び第２のバンドリンググループのいずれかに各コードワードブロックを対応づけるバンドリングルールに基づいて、前記誤り検出結果をバンドリンググループ毎に１つに纏めた束応答信号を送信する送信手段と、
を具備し、
前記バンドリングルールでは、前記コードワードブロック群の内の一部分が第１のバンドリンググループに対応づけられ、前記コードワードブロック群の内の一部分を除く残りの部分が第２のバンドリンググループに対応づけられる、
端末装置。
【請求項８】
複数の下り単位バンドにそれぞれマッピングされるコードワードブロック群からなる、第１のコードワード及び第２のコードワードを受信するステップと、
各コードワードブロックの誤りを検出するステップと、
第１のバンドリンググループ及び第２のバンドリンググループのいずれかに各コードワードブロックを対応づけるバンドリングルールに基づいて、前記誤り検出結果をバンドリンググループ毎に１つに纏めた束応答信号を送信するステップと、
を具備し、
前記バンドリングルールでは、前記第１のバンドリンググループ及び前記第２のバンドリンググループの少なくともいずれか一方に、前記第１のコードワードに属するコードワードブロック及び前記第２のコードワードに属するコードワードブロックの両方が含まれる、
応答信号送信方法。
【請求項９】
複数の下り単位バンドにそれぞれマッピングされるコードワードブロック群からなるコードワードを受信するステップと、
各コードワードブロックの誤りを検出するステップと、
第１のバンドリンググループ及び第２のバンドリンググループのいずれかに各コードワードブロックを対応づけるバンドリングルールに基づいて、前記誤り検出結果をバンドリンググループ毎に１つに纏めた束応答信号を送信するステップと、
を具備し、
前記バンドリングルールでは、前記コードワードブロック群の内の一部分が第１のバンドリンググループに対応づけられ、前記コードワードブロック群の内の一部分を除く残りの部分が第２のバンドリンググループに対応づけられる、
応答信号送信方法。
【発明の詳細な説明】
【技術分野】
【０００１】
本発明は、端末装置及び応答信号送信方法に関する。
【背景技術】
【０００２】
3GPP LTE（3rd Generation Partnership Project Long Term Evolution）におけるTDD(Time Division Duplex)システムでは、複数の下りデータ信号に対するA/N(ACK/NACK)を１つの上りサブフレームで送信する場合に、A/N bundlingが用いられる（図１参照）。LTEでは、一般的に、下り回線の１サブフレームにおいて、Non-MIMO送信では、1CW(Code Word)で生成されるデータ信号が送信される一方、MIMO送信では、2CWで生成されるデータ信号が送信される。これらのデータ信号に対して、端末では、各CWに対してA/Nを生成する。このとき、端末は、A/N bundlingを用いる場合には、複数のサブフレームのA/Nに対してCW毎に論理和(XOR)をとることにより、CW毎に１つのA/N情報（つまり、束応答信号）が得られる。すなわち、A/N Bundlingの対象となる任意のCW全体において、１つのサブフレームでもNACKがあれば、そのCWに対する応答信号としてNACKが生成される一方、そのCW全体において、全てのサブフレームでACKの場合にのみ、そのCWに対する応答信号としてACKが生成される。すなわち、或るCWに着目した場合、サブフレーム毎にACK/NACKが得られ、このCW単位でACK/NACKをbundlingすることにより、１つの束応答信号が得られる。そして、各CWに対応する束応答信号が、基地局に送信される（非特許文献１、２参照）。この各CWに対応する束応答信号に基づいて、基地局は、再送制御を行う。すなわち、ここでは、CWは、データ信号を再送する単位として捉えることができる。また、MIMO送信モードでも、1CWでデータ信号が生成される場合がある。例えば、送信ダイバーシチを適用する場合などは1CWのみでデータ信号が生成される。【０００３】
また、下りデータ信号を受信する前に、当該下りデータ信号が配置されるリソース等に関する情報が、下り制御チャネル信号（PDCCH）によって、基地局から端末へ通知される。このPDCCHを端末が受信ミスした場合でも正確にA/N情報を生成できるように、過去のサブフレームにおけるPDCCHの有無が、基地局から端末へ通知される。この通知は、PDCCH内のDAI（Downlink Assignment Indicator）を用いて行われる。これにより、端末はBundlingする対象となるA/Nの数を把握することができるようになり、正確にBundlingすることができる。DAIが存在しないシステムではPDCCHを端末が受信ミスすると正確にA/N情報を生成できないことがある。【０００４】
また、3GPP LTEよりも更なる通信の高速化を実現する3GPP LTE-Advancedの標準化が開始された。3GPP LTE-Advancedシステム（以下、「LTE-Aシステム」と呼ばれることがある）は、3GPP LTEシステム（以下、「LTEシステム」と呼ばれることがある）を踏襲する。3GPP LTE-Advancedでは、最大１Ｇｂｐｓ以上の下り伝送速度を実現するために、４０ＭＨｚ以上の広帯域周波数で通信可能な基地局及び端末が導入される見込みである。【０００５】
LTE-Advancedの下り回線では、データ送信に複数の下り単位バンド（CC：Component Carrier）を用いるCarrier Aggregationがサポートされる。このCarrier Aggregation方式が用いられる場合、各CCの下りデータ信号に対してA/Nが発生する。従って、上り回線では、複数CCに対するA/Nを送信する必要がある。
【先行技術文献】
【非特許文献】
【０００６】
【非特許文献１】TS36.212 v8.7.0, “3GPP TSG RAN; Evolved Universal Terrestrial Radio Access(E-UTRA); Multiplexing and channel coding
【非特許文献２】TS36.213 v8.8.0, “3GPP TSG RAN; Evolved Universal Terrestrial Radio Access(E-UTRA); Physical Layer Procedure
【発明の概要】
【発明が解決しようとする課題】
【０００７】
ここで、Carrier Aggregation方式が用いられる場合に、複数CCに対するA/Nをより少ないビットで送信するために、非特許文献[1][2]で記載されるLTEシステムで用いるA/N bundlingを流用することが考えられる。具体的には、端末は、各CWについてCC毎にA/Nを生成し、CW毎に全CCのA/NをBundlingする。つまり、各CWに１つの束応答信号を生成する。そして、CW毎に束応答信号が端末から基地局へ送信される。【０００８】
図２には、Carrier Aggregation方式及びA/N bundlingを組み合わせた場合の一制御例が示されている。図２では、１つのサブフレームで３つのCCが下りデータ送信に用いられる。そして、CWを構成する３つのコードワードブロックが、３つのCCにそれぞれマッピングされる。従って、Non-MIMO送信モードでは、それぞれ異なるCCにマッピングされるCW#0のコードワードブロック毎にA/Nが生成される。更に、CW#0に対するA/NがBundlingされて、１ビットの束応答信号（A/N#0）が生成される。【０００９】
一方、MIMO送信モードでは、Non-MIMO送信モードと同様に、CW#0を構成する３つのコードワードブロックが、３つのCCにそれぞれマッピングされる。MIMO送信モードでは、更に、CW#1を構成する３つのコードワードブロックも、３つのCCにそれぞれマッピングされる。そして、端末は、CW#0及びCW#1のそれぞれについて、束応答信号を生成する。ここで、CW#0は、Non-MIMO送信およびMIMO送信のいずれの場合にも常に存在するCWである。一方、CW#1は、Non-MIMO送信では存在せず、MIMO送信に存在するCWである。【００１０】
以上のように、Carrier Aggregation方式及びA/N bundlingを単純に組み合わせた場合でも、シグナリング数を低減することができる。また、A/N Bundlingによって、１つのサブフレームにおいて束応答信号を高々２ビットに低減できれば、端末は、束応答信号をＱＰＳＫ変調して、低ＣＭ(Cubic Metric)特性を有するシングルキャリア送信することができる。これにより、端末は、高い受信品質を維持しながら、束応答信号を送信することができる。【００１１】
ここで、LTE-Aでは、端末に対して、CCごとに送信モードを設定することが検討されている。この送信モードには、空間多重MIMO(spatial multiplexing MIMO)送信モード、送信ダイバーシチ（transmit diversity）モード、ビームフォーミング（beamforming）送信モード、SIMO送信モードなどがある。空間多重MIMO送信モードでは、２つのCWが使用され、それ以外の送信モード（つまり、Non-MIMO送信モード）では、１つのCW(CW#0)のみが用いられることが想定される。そうすると、各CCで送信モードが異なる場合には、各束応答信号を形成する際に用いられるA/Nの数（つまり、Bundlingの対象となるA/Nの数）が、CC間で大きく異なる可能性がある。【００１２】
例えば、CC#0でMIMO送信モード、CC#1、#2でnon-MIMO送信モードを用いる場合、図３に示すように、第１の束応答信号であるA/N#0に関してBundling対象となるA/N数（つまり、CC毎にマッピングされたCW#0のコードワードブロックの数）が３つとなり、第２の束応答信号であるA/N#1に関してBundling対象となるA/N数（つまり、CC毎にマッピングされたCW#1のコードワードブロックの数）が１つとなる。このため、A/N#0は、Bundling後にNACKとなる可能性が高くなり、これに比べて、A/N#1はBundling後にNACKとなる可能性が低くなる。従って、A/N#0のBundling対象となるCWは再送確率が高く、A/N#1のBundling対象となるCWは再送確率が低くなる。このため、A/N#0及びA/N#1の再送効率がほぼ均一の場合と比較して、システム全体としては再送効率が低下する。【００１３】
例えば、ACKの発生確率が90％、NACKの発生確率が10%とする場合、図３に示すケースでは、A/N#0がNACKになる確率は27.1%(=(1-09*0.9*0.9)*100)であり、A/N#1がNACKになる確率は、10.0%となる。一方、A/N#0のBundling対象となるA/Nの数と、A/N#1のBundling対象となるA/Nの数とが均一である場合、A/N#0及びA/N#1のそれぞれがNACKになる確率は19.0%(=(1-09*0.9)*100)となる。従って、図３に示すようにA/N#0のBundling対象となるA/Nの数と、A/N#1のBundling対象となるA/Nの数とが不均一の場合には、再送されるコードワードブロック数の期待値は、0.913個（＝（３個×27.1%＋１個×10.0%）/100）である。これに対して、A/N#0のBundling対象となるA/Nの数と、A/N#1のBundling対象となるA/Nの数とが均一である場合には、再送されるコードワードブロック数の期待値は、0.640（＝（２個×19.0%＋２個×19.0%）/100）となる。このように、A/N#0のBundling対象となるA/Nの数と、A/N#1のBundling対象となるA/Nの数とが不均一の場合には、伝送効率が悪くなる問題がある。また、全CCでMIMO送信モードが設定されている場合でも、CCごとの伝搬路状況又は送信データ量などによって、CC間でCW数が異なる場合がある。この場合でも、上記と同様に、伝送効率が悪くなる問題がある。【００１４】
本発明の目的は、バンドリングルールを工夫することにより、システム伝送効率を向上できる端末装置及び応答信号送信方法を提供することである。
【課題を解決するための手段】
【００１５】
本発明の端末装置の一態様は、複数の下り単位バンドにそれぞれマッピングされるコードワードブロック群からなる、第１のコードワード及び第２のコードワードを受信する受信手段と、各コードワードブロックの誤りを検出する誤り検出手段と、第１のバンドリンググループ及び第２のバンドリンググループのいずれかに各コードワードブロックを対応づけるバンドリングルールに基づいて、前記誤り検出結果をバンドリンググループ毎に１つに纏めた束応答信号を送信する送信手段と、を具備し、前記バンドリングルールでは、前記第１のバンドリンググループ及び前記第２のバンドリンググループの少なくともいずれか一方に、前記第１のコードワードに属するコードワードブロック及び前記第２のコードワードに属するコードワードブロックの両方が含まれる。【００１６】
本発明の応答信号送信方法の一態様は、複数の下り単位バンドにそれぞれマッピングされるコードワードブロック群からなる、第１のコードワード及び第２のコードワードを受信するステップと、各コードワードブロックの誤りを検出するステップと、第１のバンドリンググループ及び第２のバンドリンググループのいずれかに各コードワードブロックを対応づけるバンドリングルールに基づいて、前記誤り検出結果をバンドリンググループ毎に１つに纏めた束応答信号を送信するステップと、を具備し、前記バンドリングルールでは、前記第１のバンドリンググループ及び前記第２のバンドリンググループの少なくともいずれか一方に、前記第１のコードワードに属するコードワードブロック及び前記第２のコードワードに属するコードワードブロックの両方が含まれる。
【発明の効果】
【００１７】
本発明によれば、バンドリングルールを工夫することにより、システム伝送効率を向上できる端末装置及び応答信号送信方法を提供することができる。
【図面の簡単な説明】
【００１８】
【図１】従来のバンドリング方式の説明に供する図
【図２】キャリアアグリゲーション及びバンドリング方式を組み合わせた場合の一制御例の説明に供する図
【図３】キャリアアグリゲーション及びバンドリング方式を組み合わせた場合の一制御例の説明に供する図
【図４】本発明の実施の形態１に係る基地局の構成を示すブロック図
【図５】本発明の実施の形態１に係る端末の構成を示すブロック図
【図６】バンドリングルール１の説明に供する図
【図７】バンドリングルール２の説明に供する図
【図８】バンドリングルール３の説明に供する図
【図９】本発明の実施の形態２に係るバンドリングルール４の説明に供する図
【図１０】バンドリングルール５の説明に供する図
【図１１】バンドリングルール６の説明に供する図
【図１２】本発明の実施の形態３に係るバンドリングルール７の説明に供する図
【発明を実施するための形態】
【００１９】
以下、本発明の実施の形態について図面を参照して詳細に説明する。なお、実施の形態において、同一の構成要素には同一の符号を付し、その説明は重複するので省略する。
【００２０】
［１］実施の形態１
［１−１］通信システムの概要
後述する基地局１００及び端末２００を含む通信システムでは、上り単位バンド及び上り単位バンドと対応づけられた複数の下り単位バンドを使用した通信、つまり、Carrier aggregationによる通信が行われる。
【００２１】
また、基地局１００と端末２００との間でも、基地局１００による端末２００に対するリソース割当によっては、Carrier aggregationによらない通信が行われることも可能である。
【００２２】
また、この通信システムでは、Carrier aggregationによらない通信が行われる場合には、従来通りのＡＲＱが行われる一方、Carrier aggregationによる通信が行われる場合には、ＡＲＱにおいてbundling方式が採用される。すなわち、この通信システムは、例えば、LTE-Aシステムであり、基地局１００は、例えば、LTE-A基地局であり、端末２００は、例えば、LTE-A端末である。
【００２３】
なお、以下では、この通信システムがLTE-A向けFDDシステムであり、基地局１００がLTE-A基地局であり、端末２００がLTE-A端末であるものとして説明する。すなわち、この通信システムがLTE-A向けFDDシステムであるので、下り回線と上り回線のサブフレームが１対１に対応しており、下り回線の１サブフレームのA/Nが上り回線の１サブフレームで送信される場合を前提とする。
【００２４】
［１−２］基地局の構成
図４は、本発明の実施の形態１に係る基地局１００の構成を示すブロック図である。図４において、基地局１００は、設定部１０１と、制御部１０２と、ＰＤＣＣＨ生成部１０４と、符号化・変調部１０５，１０７，１０８と、割当部１０６と、多重部１０９と、ＩＦＦＴ（Inverse Fast Fourier Transform）部１１０と、ＣＰ（Cyclic Prefix）付加部１１１と、送信ＲＦ部１１２と、アンテナ１１３と、受信ＲＦ部１１４と、ＣＰ除去部１１５と、ＦＦＴ（Fast Fourier Transform）部１１６と、抽出部１１７と、ＩＤＦＴ（Inverse Discrete Fourier Transform）部１１８と、データ受信部１１９と、ＡＣＫ／ＮＡＣＫ受信部１２０とを有する。
【００２５】
設定部１０１は、設定対象の端末送受信能力（UE Capability）又は伝搬路状況に基づいて、設定対象の端末との間の通信における上り回線の送信モードおよび下り回線の送信モードを設定する。この送信モードの設定は、単位バンド毎に行われる。また、この送信モードの設定は、設定対象端末が複数在る場合には、端末毎に行われる。
【００２６】
この送信モードには、例えば、ＬＴＥで規定されている、送信ダイバーシチによる送信モード、空間多重ＭＩＭＯによる送信モード、Rank1 precodingによる送信モード、ＭＵ−ＭＩＭＯ送信モード、および、ビームフォーミング送信モード、並びに、ＬＴＥ−Ａ端末向けに、ＭＩＭＯ及びＣｏＭＰ送信に共通の送信モードとして「マルチアンテナ送信モード」が含まれる。また、上り回線の送信モードには、ＭＩＭＯ送信モード、および、非連続帯域割当による送信モードも含まれる。以下では、これに限定するものではないが、上記した空間多重ＭＩＭＯによる送信モード、マルチアンテナ送信モード、及び、ＭＩＭＯ送信モードを「MIMOモード」と呼び、送信ダイバーシチによる送信モード、Rank1 precodingによる送信モード、ＭＵ−ＭＩＭＯ送信モード、ビームフォーミング送信モード及び非連続帯域割当による送信モードを「非MIMOモード」と呼ぶ。
【００２７】
設定部１０１は、設定対象端末に設定した送信モードを示す送信モード情報を設定情報に含めて、制御部１０２、ＰＤＣＣＨ生成部１０４、割当部１０６および符号化・変調部１０７に出力する。
【００２８】
また、設定部１０１は、設定対象端末の端末送受信能力（UE Capability）又は伝搬路状況に基づいて、下り回線のデータ信号に対する応答信号（つまり、Ａ／Ｎ）の送信方法（例えば、Ａ／Ｎバンドリング、マルチコード送信、複数Ａ／Ｎ多重など）を設定する。この設定情報は、ＡＣＫ／ＮＡＣＫ受信部１２０へ出力される。
【００２９】
なお、上記設定情報は、上位レイヤの制御情報（ＲＲＣ制御情報）として、符号化・変調部１０７を介して各端末へ通知される。
【００３０】
また、設定部１０１は、設定対象端末に対して、ＰＤＣＣＨを割り当てるＣＣＥ（Control Channel Element）を単位バンド毎に設定する。この設定は、設定対象端末が複数在る場合には、端末毎に行われる。このＣＣＥの設定情報は、割当部１０６へ出力される。なお、各ＰＤＣＣＨは、１つまたは連続する複数のＣＣＥで構成されるリソースを占有する。
【００３１】
制御部１０２は、設定部１０１から受け取る設定情報に含まれる送信モード情報に応じて、割当制御情報（ＤＣＩ）を生成する。このＤＣＩは、割当対象端末毎に生成される。
【００３２】
制御部１０２は、非MIMOモードの端末に対して、１つのトランスポートブロックに対するＭＣＳ情報、リソース（ＲＢ）割当情報、および、ＨＡＲＱ情報を含む割当制御情報を、ＤＣＩフォーマット１で生成する。
【００３３】
制御部１０２は、MIMOモードの端末に対しては、２つのトランスポートブロックに対するＭＣＳ情報などを含む割当制御情報を、ＤＣＩフォーマット２で生成する。
【００３４】
ここで、制御部１０２によって生成される割当制御情報には、端末の上り回線データを割り当てる上りリソース（例えば、ＰＵＳＣＨ（Physical Uplink Shared Channel））を示す上り割当制御情報、および、端末宛ての下り回線データを割り当てる下りリソース（例えば、ＰＤＳＣＨ（Physical Downlink Shared Channel））を示す下り割当制御情報が含まれる。
【００３５】
また、制御部１０２は、上記のような端末毎の送信モードに応じた割当制御情報の他に、全端末に共通の割当制御情報（ＤＣＩ  ０／１Ａ）を用いることもできる。
【００３６】
通常のデータ送信時には、制御部１０２は、各端末の送信モードに応じたフォーマット（ＤＣＩ  １，２，２Ａ，２Ｂ，２Ｃ，２Ｄ，０Ａ，０Ｂ）で、割当制御情報を生成する。これにより、各端末に設定した送信モードでデータ伝送が行えるので、スループットを向上することができる。
【００３７】
しかし、急激な伝搬路状況の変化または隣接セルからの干渉の変化等によっては、各端末に設定した送信モードでは受信誤りが頻発する状況も起こり得る。この場合には、制御部１０２は、全端末に共通のフォーマット（ＤＣＩ  ０／１Ａ）で、割当制御情報を生成する（つまり、デフォルト送信モードのフォーマットで、割当制御情報を生成する。これにより、よりロバストな送信が可能となる。
【００３８】
また、制御部１０２は、端末個別のデータ割当向けの割当制御情報の他に、共通チャネル向けのフォーマット（例えば、ＤＣＩ  １Ｃ，１Ａ）で割当制御情報を生成する。共通チャネル向け割当制御情報は、報知情報およびＰａｇｉｎｇ情報等の複数の端末に共通のデータ割当に用いられる。
【００３９】
そして、制御部１０２は、生成した端末個別のデータ割当向けの割当制御情報のうち、ＭＣＳ情報およびＨＡＲＱ情報をＰＤＣＣＨ生成部１０４に出力し、上りリソース割当情報をＰＤＣＣＨ生成部１０４および抽出部１１７に出力し、下りリソース割当情報をＰＤＣＣＨ生成部１０４および多重部１０９に出力する。また、制御部１０２は、生成した共通チャネル向け割当制御情報をＰＤＣＣＨ生成部１０４に出力する。
【００４０】
ＰＤＣＣＨ生成部１０４は、制御部１０２から入力される、端末個別のデータ割当向けの割当制御情報（つまり、端末毎の上りリソース割当情報、下りリソース割当情報、ＭＣＳ情報およびＨＡＲＱ情報等）を含むＰＤＣＣＨ信号、または、共通チャネル向け割当制御情報（つまり、端末共通の報知情報およびＰａｇｉｎｇ情報等）を含むＰＤＣＣＨ信号を生成する。このとき、ＰＤＣＣＨ生成部１０４は、端末毎に生成する上り割当制御情報および下り割当制御情報に対してＣＲＣビットを付加し、さらにＣＲＣビットを端末ＩＤでマスキング（または、スクランブリング）する。そして、ＰＤＣＣＨ生成部１０４は、マスキング後のＰＤＣＣＨ信号を、符号化・変調部１０５に出力する。
【００４１】
符号化・変調部１０５は、ＰＤＣＣＨ生成部１０４からのＰＤＣＣＨ信号をチャネル符号化後に変調して、変調後のＰＤＣＣＨ信号を割当部１０６に出力する。ここで、符号化・変調部１０５は、各端末から報告されるチャネル品質情報（ＣＱＩ：Channel Quality Indicator）情報に基づいて、各端末で十分な受信品質が得られるように符号化率を設定する。例えば、符号化・変調部１０５は、セル境界付近に位置する端末ほど（チャネル品質が悪い端末ほど）、より低い符号化率を設定する。
【００４２】
割当部１０６は、符号化・変調部１０５から、共通チャネル向け割当制御情報を含むＰＤＣＣＨ信号、および、各端末に対する端末個別のデータ割当向けの割当制御情報を含むＰＤＣＣＨ信号を受け取る。ＰＤＣＣＨ信号は、マッピング先の単位バンド毎に入力される。そして、割当部１０６は、ＰＤＣＣＨ信号を、設定部１０１から受け取るＣＣＥ設定情報が示すＣＣＥに割り当てる。
【００４３】
そして、割当部１０６は、ＣＣＥに割り当てたＰＤＣＣＨ信号を、単位バンド毎に多重部１０９へ出力する。また、割当部１０６は、各単位バンドにおいてＰＤＣＣＨ信号が割り当てられたＣＣＥを示す情報を、ＡＣＫ／ＮＡＣＫ受信部１２０へ出力する。
【００４４】
符号化・変調部１０７は、設定部１０１からの設定情報をチャネル符号化後に変調して、変調後の設定情報を多重部１０９に出力する。
【００４５】
符号化・変調部１０８は、各CCに対するトランスポートブロックを入力する。そして、符号化・変調部１０８は、入力した各CCに対するトランスポートブロックを各CCに対するコードワードにマッピングし、チャネル符号化及び変調を行う。すなわち、各CCにおけるコードワード（以降、コードワードブロックと呼ぶ）毎にCRCが付加される。これにより、受信側では、コードワードブロック毎の誤り検出が可能になる。こうして得られた変調後のコードワード（つまり、データ信号）は、多重部１０９に出力される。
【００４６】
具体的には、MIMOモードの端末に対するデータを処理する場合には、符号化・変調部１０８は、２つのトランスポートブロックを入力し、２つのCWにマッピングする。そして、各CWについて、上述と同様にして、チャネル符号化及び変調を行う。なお、上述の通り、MIMOモードであっても受信品質が劣悪な端末又はデータ量の少ない端末に対するデータについては、１つのCWのみが用いられることがある。
【００４７】
一方、非MIMOモードの端末に対するデータを処理する場合には、符号化・変調部１０８は、１つのトランスポートブロックを入力し、１つのCWにマッピングする。そして、このCWについて、上述と同様にして、チャネル符号化及び変調を行う。
【００４８】
多重部１０９は、割当部１０６からのＰＤＣＣＨ信号、符号化・変調部１０７からの設定情報、および符号化・変調部１０８からのデータ信号（つまり、ＰＤＳＣＨ信号）を各単位バンドにおいて多重する。ここで、多重部１０９は、制御部１０２からの下りリソース割当情報に基づいて、ＰＤＣＣＨ信号およびデータ信号（ＰＤＳＣＨ信号）を各単位バンドにマッピングする。なお、多重部１０９は、設定情報をＰＤＳＣＨにマッピングしてもよい。
【００４９】
また、多重部１０９は、MIMO送信向けのデータ信号をレイヤ(空間上の仮想的なチャネル)間で多重する。
【００５０】
そして、多重部１０９は、多重信号をＩＦＦＴ部１１０に出力する。
【００５１】
ＩＦＦＴ部１１０は、多重部１０９から受け取る多重信号を時間波形に変換し、ＣＰ付加部１１１は、この時間波形にＣＰを付加することによりＯＦＤＭ信号を得る。
【００５２】
ＣＰ付加部１１１から受け取るＯＦＤＭ信号に対して送信無線処理（アップコンバート、ディジタルアナログ（Ｄ／Ａ）変換など）を施し、アンテナ１１３を介して送信する。ここで、図４では、便宜上、アンテナ１１３を１つのみ図示しているが、実際上、基地局１００は、複数のアンテナ１１３を有している。
【００５３】
一方、受信ＲＦ部１１４は、アンテナ１１３を介して受信帯域で受信した受信無線信号に対して受信無線処理（ダウンコンバート、アナログディジタル（Ａ／Ｄ）変換など）を施し、得られた受信信号をＣＰ除去部１１５に出力する。
【００５４】
ＣＰ除去部１１５は、受信信号からＣＰを除去し、ＦＦＴ部１１６は、ＣＰ除去後の受信信号を周波数領域信号に変換する。
【００５５】
抽出部１１７は、制御部１０２からの上りリソース割当情報に基づいて、ＦＦＴ部１１６から受け取る周波数領域信号から上り回線データを抽出し、ＩＤＦＴ部１１８は、抽出信号を時間領域信号に変換し、その時間領域信号をデータ受信部１１９およびＡＣＫ／ＮＡＣＫ受信部１２０に出力する。
【００５６】
データ受信部１１９は、ＩＤＦＴ部１１８から入力される時間領域信号を復号する。そして、データ受信部１１９は、復号後の上り回線データを受信データとして出力する。
【００５７】
ＡＣＫ／ＮＡＣＫ受信部１２０は、ＩＤＦＴ部１１８から受け取る時間領域信号のうち、下り回線データ（ＰＤＳＣＨ信号）に対する各端末からのＡＣＫ／ＮＡＣＫ信号（つまり、応答信号）を抽出する。具体的には、ＡＣＫ／ＮＡＣＫ受信部１２０は、その応答信号を、割当部１０６から受け取るＣＣＥ情報および設定部１０１から受け取るＡ／Ｎの送信方法に関する情報に基づいて、上り回線制御チャネル（例えば、ＰＵＣＣＨ（Physical Uplink Control Channel））または上り回線データチャネル(例えば、ＰＵＳＣＨ（Physical Uplink Shared Channel）から抽出する。また、その上り回線制御チャネルは、その下り回線データに割り当てられたＣＣＥに対応付けられた上り回線制御チャネルである。
【００５８】
なお、ＣＣＥとＰＵＣＣＨとが対応付けられているのは、端末が応答信号の送信に用いるＰＵＣＣＨを基地局から各端末へ通知するためのシグナリングを不要にするためである。これにより、下り回線の通信リソースを効率良く使用することができる。従って、各端末は、この対応付けに従って、自端末への制御情報（ＰＤＣＣＨ信号）がマッピングされているＣＣＥに基づいて、ＡＣＫ／ＮＡＣＫ信号の送信に用いるＰＵＣＣＨを判定している。また、ＰＵＳＣＨで送信されるＡＣＫ／ＮＡＣＫ信号は、Ａ／Ｎビット数などによりＡ／Ｎ信号を送信するリソースが予め決められる。
【００５９】
そして、ＡＣＫ／ＮＡＣＫ受信部１２０は、抽出した応答信号のＡＣＫ／ＮＡＣＫ判定を行う。この応答信号は、束応答信号又はバンドリングされていない応答信号である。
【００６０】
そして、ＡＣＫ／ＮＡＣＫ受信部１２０は、Bundlingを指示された端末２００から送信される束応答信号を受け取る場合には、その束応答信号と、予め決められた対応関係によって対応付けられているコードワードブロック群全体のＡＣＫ／ＮＡＣＫ判定を行う。例えば、ＡＣＫ／ＮＡＣＫ受信部１２０は、第１の束応答信号（A/N#0）がNACKである場合には、第１の束応答信号（A/N#0）に対応する全てのコードワードブロックがNACKであると判定する。一方、ＡＣＫ／ＮＡＣＫ受信部１２０は、第１の束応答信号（A/N#0）がACKである場合には、第１の束応答信号（A/N#0）に対応する全てのコードワードブロックがACKであると判定する。これにより、NACKである束応答信号と対応付けられたコードワードブロック群全体が、再送されることになる。なお、束応答信号とコードワードブロック群との対応関係は、後に詳しく説明する。
【００６１】
［１−３］端末の構成
図５は、本発明の実施の形態１に係る端末２００の構成を示すブロック図である。ここでは、端末２００は、ＬＴＥ−Ａ端末であり、データ信号（下り回線データ）を受信し、そのデータ信号に対するＡＣＫ／ＮＡＣＫ信号を、ＰＵＣＣＨを用いて基地局１００へ送信する。
【００６２】
図５において、端末２００は、アンテナ２０１と、受信ＲＦ部２０２と、ＣＰ除去部２０３と、ＦＦＴ部２０４と、分離部２０５と、設定情報受信部２０６と、ＰＤＣＣＨ受信部２０７と、ＰＤＳＣＨ受信部２０８と、変調部２０９，２１０と、ＤＦＴ部２１１と、マッピング部２１２と、ＩＦＦＴ部２１３と、ＣＰ付加部２１４と、送信ＲＦ部２１５と、Ａ／Ｎバンドリング部２１６とを有する。
【００６３】
受信ＲＦ部２０２は、設定情報受信部２０６から受け取る帯域情報に基づいて、受信帯域を設定する。受信ＲＦ部２０２は、アンテナ２０１を介して受信帯域で受信した無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。なお、受信信号には、ＰＤＳＣＨ信号、ＰＤＣＣＨ信号、および、設定情報を含む上位レイヤの制御情報が含まれる。
【００６４】
ＣＰ除去部２０３は、受信信号からＣＰを除去し、ＦＦＴ部２０４は、ＣＰ除去後の受信信号を周波数領域信号に変換する。この周波数領域信号は、分離部２０５に出力される。
【００６５】
分離部２０５は、ＦＦＴ部２０４から受け取る信号を、設定情報を含む上位レイヤの制御信号（例えば、RRC signaling等）と、ＰＤＣＣＨ信号と、データ信号（つまり、ＰＤＳＣＨ信号）とに分離する。そして、分離部２０５は、制御信号を設定情報受信部２０６に出力し、ＰＤＣＣＨ信号をＰＤＣＣＨ受信部２０７に出力し、ＰＤＳＣＨ信号をＰＤＳＣＨ受信部２０８に出力する。
【００６６】
設定情報受信部２０６は、分離部２０５から受け取る制御信号から、自端末に設定された端末ＩＤを示す情報を読み取り、読み取った情報を端末ＩＤ情報としてＰＤＣＣＨ受信部２０７に出力する。また、設定情報受信部２０６は、自端末に設定された送信モードを示す情報を読み取り、読み取った情報を送信モード情報としてＰＤＣＣＨ受信部２０７に出力する。また、設定情報受信部２０６は、自端末に設定されたＡ／Ｎ送信方法を示す情報を読み取り、読み取った情報をバンドリング有無情報としてバンドリング部２１６に出力する。
【００６７】
ＰＤＣＣＨ受信部２０７は、分離部２０５から入力されるＰＤＣＣＨ信号をブラインド復号（モニタ）することにより、自端末宛てのＰＤＣＣＨ信号を得る。ここで、ＰＤＣＣＨ受信部２０７は、全端末共通のデータ割当向けのＤＣＩフォーマット（例えば、ＤＣＩ  ０／１Ａ）、自端末に設定された送信モード依存のＤＣＩフォーマット（例えば、ＤＣＩ  １，２，２Ａ，２Ｃ、２Ｄ、０Ａ，０Ｂ）および全端末共通の共通チャネル割当向けのＤＣＩフォーマット（例えば、ＤＣＩ  １Ｃ，１Ａ）のそれぞれに対して、ブラインド復号する。これにより、各ＤＣＩフォーマットの割当制御情報を含むＰＤＣＣＨ信号を得る。
【００６８】
そして、ＰＤＣＣＨ受信部２０７は、自端末宛てのＰＤＣＣＨ信号に含まれる下りリソース割当情報をＰＤＳＣＨ受信部２０８に出力し、上りリソース割当情報をマッピング部２１２に出力する。
【００６９】
また、ＰＤＣＣＨ受信部２０７は、自端末宛てのＰＤＣＣＨ信号が検出されたＣＣＥ（ＣＲＣ＝ＯＫとなるＣＣＥ）のＣＣＥ番号（ＣＣＥ連結数が複数の場合は先頭のＣＣＥのＣＣＥ番号）をマッピング部２１２に出力する。
【００７０】
ＰＤＳＣＨ受信部２０８は、各単位バンドについてＰＤＣＣＨ受信部２０７から入力される下りリソース割当情報に基づいて、分離部２０５から入力されるＰＤＳＣＨ信号から受信データ（下り回線データ）を抽出する。すなわち、ＰＤＳＣＨ受信部２０８は、分離部２０５から入力されるＰＤＳＣＨ信号から、各コードワードブロックを抽出する。
【００７１】
また、ＰＤＳＣＨ受信部２０８は、抽出した各コードワードブロックに対して誤り検出を行う。
【００７２】
そして、ＰＤＳＣＨ受信部２０８は、誤り検出の結果、コードワードブロックに誤りがある場合には、ＮＡＣＫを生成する一方、コードワードブロックに誤りが無い場合には、ＡＣＫを生成する。各コードワードブロックについてのＡＣＫ／ＮＡＣＫ情報は、Ａ／Ｎバンドリング部２１６に出力される。
【００７３】
ここで、自機に対してMIMOモードが設定されている単位バンドでは、１つのコードワードブロック又は２つのCWのそれぞれのコードワードブロックに対して、誤り検出が行われる。或る単位バンドにおいて、コードワードブロックが１つマッピングされるか、又は、CWの異なる２つのコードワードブロックがマッピングされるかについては、下りリソース割当情報によって、基地局１００から端末２００へ指示される。また、自機に対して非MIMOモードが設定されている単位バンドでは、１つのコードワードブロック（または、トランスポートブロック）のＡＣＫ／ＮＡＣＫ情報が生成される。
【００７４】
Ａ／Ｎバンドリング部２１６は、設定情報受信部２０６から入力されるＡ／Ｎ送信方法を示す情報を基づいて、ＰＤＳＣＨ受信部２０８から受け取るＡＣＫ／ＮＡＣＫ情報から応答信号を生成する。
【００７５】
具体的には、Ａ／Ｎバンドリング部２１６は、Ａ／Ｎ送信方法としてバンドリングが通知された場合、バンドリングルールに従ってＡＣＫ／ＮＡＣＫ情報をバンドリングすることにより、束応答信号を生成する。すなわち、バンドリングルールでは、各バンドリンググループを構成するコードワードブロック群が決められている。ここでは、コードワードブロックは、CC識別番号とCW識別番号との組み合わせによって定義される。このバンドリングルールは、上述の束応答信号とコードワードブロック群との対応関係と対応する。
【００７６】
こうして生成された応答信号は、変調部２０９に出力される。
【００７７】
変調部２０９は、ＰＤＳＣＨ受信部２０８から受け取る応答信号を変調し、変調後の応答信号をＤＦＴ部２１１に出力する。
【００７８】
変調部２１０は、送信データ（上り回線データ）を変調し、変調後のデータ信号をＤＦＴ部２１１に出力する。
【００７９】
ＤＦＴ部２１１は、変調部２０９から受け取る応答信号および変調部２１０から受け取るデータ信号を周波数領域に変換し、得られる複数の周波数成分をマッピング部２１２に出力する。
【００８０】
マッピング部２１２は、ＰＤＣＣＨ受信部２０７から受け取る上りリソース割当情報に従って、ＤＦＴ部２１１から受け取る複数の周波数成分のうち、データ信号に相当する周波数成分を、上り単位バンドに配置されたＰＵＳＣＨにマッピングする。また、マッピング部２１２は、ＰＤＣＣＨ受信部２０７から受け取るＣＣＥ番号に従って、ＤＦＴ部２１１から受け取る複数の周波数成分のうち、応答信号に相当する周波数成分を、上り単位バンドに配置されたＰＵＣＣＨにマッピングする。
【００８１】
なお、ここでは変調部２０９、変調部２１０、ＤＦＴ部２１１およびマッピング部２１２が１セット設けられる場合について説明したが、このセットは単位バンド毎に設けられてもよい。
【００８２】
ＩＦＦＴ部２１３は、ＰＵＳＣＨにマッピングされた複数の周波数成分を時間領域波形に変換し、ＣＰ付加部２１４は、その時間領域波形にＣＰを付加する。
【００８３】
送信ＲＦ部２１５は、送信帯域を変更可能に構成されており、設定情報受信部２０６から受け取る帯域情報に基づいて、送信帯域を設定する。そして、送信ＲＦ部２１５は、ＣＰが付加された信号に送信無線処理（アップコンバート、ディジタルアナログ（Ｄ／Ａ）変換など）を施してアンテナ２０１を介して送信する。
【００８４】
［１−４］基地局１００及び端末２００の動作
以上の構成を有する基地局１００及び端末２００の動作について説明する。
【００８５】
以下では、基地局１００のＡＣＫ／ＮＡＣＫ受信部１２０において用いられる、束応答信号とコードワードブロック群との対応関係、及び、端末２００のＡ／Ｎバンドリング部２１６において用いられるバンドリングルールについて説明する。バンドリングルールと、束応答信号とコードワードブロック群との対応関係とは対応するので、以下では、バンドリングルールについて説明する。
【００８６】
［１−４−１］バンドリングルール１
図６は、バンドリングルール１の説明に供する図である。図６において、第１の束応答信号（A/N#0）を形成する際に用いられる第１のバンドリンググループと、第２の束応答信号を形成する際に用いられる第２のバンドリンググループとが示されている。具体的には、第１のバンドリンググループは、CC#0にマッピングされるCW#0のコードワードブロック、CC#1にマッピングされるCW#1のコードワードブロック、及び、CC#2にマッピングされるCW#0のコードワードブロックから構成される。一方、第２のバンドリンググループは、CC#0にマッピングされるCW#1のコードワードブロック、CC#1にマッピングされるCW#0のコードワードブロック、及び、CC#2にマッピングされるCW#1のコードワードブロックから構成される。すなわち、いずれのバンドリンググループにも、CW#0のコードワードブロック及びCW#1のコードワードブロックが混在している。別の言い方をすれば、複数のCCの内の一部におけるバンドリンググループと当該バンドリンググループを構成コードワードブロックが属するCWとの対応関係は、残りのCCにおける対応関係と逆になっている。
【００８７】
より詳細には、CCにおけるバンドリンググループと当該バンドリンググループを構成するコードワードブロックが属するCWとの対応関係が、CC番号に応じて入れ替えられている。例えば、図６では、偶数のCC番号では、従来と同様の対応関係であり、奇数のCC番号では、従来と異なる対応関係となっている。なお、CCにおけるバンドリンググループと当該バンドリンググループを構成コードワードブロックが属するCWとの対応関係は、次のように定式化することができる。下記式中のＡ／Ｎ番号は、バンドリンググループの識別番号を意味する。Ａ／Ｎ数は図６では２であり、Ａ／Ｎ＃０、Ａ／Ｎ＃１の２種類を指す。
Ａ／Ｎ番号＝（ＣＷ番号＋ＣＣ番号）ＭＯＤ（Ａ／Ｎ数）
【００８８】
なお、コードワードブロックの送信がないCCがA/N Bundlingに影響を与えないために、そのようなCCに対応するA/Nは、ACKとしてbundlingするか、又は、Bundlingに含めないものとする。また、ここでは、バンドリンググループを２つとして説明したが、３以上であっても良い。これらは以下のバンドリングルールでも同様である。
【００８９】
このようなバンドリングルールを用いることにより、バンドリンググループの構成コードワードブロック数がバンドリンググループ間で均一に近づくので、システム伝送効率を向上することができる。
【００９０】
［１−４−２］バンドリングルール２
図７は、バンドリングルール２の説明に供する図である。図７においても、図６と同様に、第１の束応答信号（A/N#0）を形成する際に用いられる第１のバンドリンググループと、第２の束応答信号を形成する際に用いられる第２のバンドリンググループとが示されている。ただし、バンドリングルール２では、実際にコードワードブロックがマッピングされているCC群の中で番号をリナンバリングし、リナンバリング後の番号に応じて、CCにおけるバンドリンググループと当該バンドリンググループを構成コードワードブロックが属するCWとの対応関係が入れ替えられる。
【００９１】
例えば、図７では、下りデータ信号が割り当てられたCCを低周波数側から順に１、２、３番目とする場合、奇数番目のCCでは、従来と同様の対応関係であり、偶数番目のCCでは、従来と異なる対応関係となっている。具体的には、第１のバンドリンググループは、CC1番目（CC#0）にマッピングされるCW#0のコードワードブロック、及び、CC3番目（CC#3）にマッピングされるCW#0のコードワードブロックから構成される。一方、第２のバンドリンググループは、CC2番目（CC#2）にマッピングされるCW#0のコードワードブロック、及び、CC3番目（CC#3）にマッピングされるCW#1のコードワードブロックから構成される。なお、CCにおけるバンドリンググループと当該バンドリンググループを構成コードワードブロックが属するCWとの対応関係は、次のように定式化することができる。下記式中のＡ／Ｎ番号は、バンドリンググループの識別番号を意味する。
Ａ／Ｎ番号＝（ＣＷ番号＋（割当があるＣＣの番号−１））ＭＯＤ（Ａ／Ｎ数）
【００９２】
このようなバンドリングルールを用いることにより、実際にコードワードブロックがマッピングされているか否かに関係なく、バンドリンググループの構成コードワードブロック数をバンドリンググループ間で均一に近づけることができる。
【００９３】
［１−４−３］バンドリングルール３
図８は、バンドリングルール３の説明に供する図である。図８においても、図６と同様に、第１の束応答信号（A/N#0）を形成する際に用いられる第１のバンドリンググループと、第２の束応答信号を形成する際に用いられる第２のバンドリンググループとが示されている。ただし、バンドリングルール３では、実際にコードワードブロックが１つだけマッピングされているCC群の中で番号をリナンバリングし、リナンバリング後の番号に応じて、CCにおけるバンドリンググループと当該バンドリンググループを構成コードワードブロックが属するCWとの対応関係が入れ替えられる。
【００９４】
例えば、図８では、コードワードブロックが１つだけマッピングされているCCを低周波数側から順に１番目、２番目とする場合、１番目のCCでは、従来と同様の対応関係であり、２番目のCCでは、従来と異なる対応関係とする。コードワードブロックが複数マッピングされているCCでは、従来と同様の対応関係となっている。なお、CCにおけるバンドリンググループと当該バンドリンググループを構成コードワードブロックが属するCWとの対応関係は、次のように定式化することができる。下記式中のＡ／Ｎ番号は、バンドリンググループの識別番号を意味する。
Ａ／Ｎ番号＝（ＣＷ番号＋１つのCWのみが割り当てられたCCの番号）ＭＯＤ（Ａ／Ｎ数）
【００９５】
［２］実施の形態２
実施の形態２では、LTE-A向けTDDシステムを想定している。すなわち、下り回線と上り回線のサブフレームが複数対１に対応しており、下り回線の複数サブフレームのA/Nが上り回線の１サブフレームで送信される場合を前提とする。
［２−１］基地局及び端末の構成
実施の形態２に係る基地局及び端末の基本構成は、実施の形態１に係る基地局１００及び端末２００と共通するので、図４及び５を援用して説明する。
【００９６】
実施の形態２に係る基地局１００のＡＣＫ／ＮＡＣＫ受信部１２０は、基本的に、実施の形態１と同様の機能を有している。ただし、１つの束応答信号は、複数のサブフレームで送信した下り回線データに関係している点で異なっている。なお、束応答信号とコードワードブロック群との対応関係は、後に詳しく説明する。
【００９７】
実施の形態２に係る端末２００のＡ／Ｎバンドリング部２１６は、基本的に、実施の形態１と同様の機能を有している。すなわち、Ａ／Ｎバンドリング部２１６は、Ａ／Ｎ送信方法としてバンドリングが通知された場合、バンドリングルールに従ってＡＣＫ／ＮＡＣＫ情報をバンドリングすることにより、束応答信号を生成する。ただし、１つの束応答信号は、複数のサブフレームで送信した下り回線データに関係している点で異なっている。すなわち、ここでは、コードワードブロックは、サブフレーム番号とCC識別番号とCW識別番号との組み合わせによって定義される。
【００９８】
［２−２］動作
以上の構成を有する基地局１００及び端末２００の動作について説明する。
【００９９】
［２−２−１］バンドリングルール４
図９は、バンドリングルール４の説明に供する図である。図９においても、図６と同様に、第１の束応答信号（A/N#0）を形成する際に用いられる第１のバンドリンググループと、第２の束応答信号を形成する際に用いられる第２のバンドリンググループとが示されている。ただし、バンドリングルール４では、サブフレーム番号及びCC番号の組み合わせに応じて、バンドリンググループと当該バンドリンググループを構成コードワードブロックが属するCWとの対応関係が入れ替えられる。
【０１００】
例えば、図９では、CCをCC番号及びサブフレーム番号の順番に並べたときに、奇数番目のCCでは、従来と同様の対応関係であり、偶数番目のCCでは、従来と異なる対応関係となっている。ここで、サブフレーム単位でバンドリングルールを見ると、サブフレーム#0及び#2では、CCにおけるバンドリンググループと当該バンドリンググループを構成するコードワードブロックが属するCWとの対応関係は一致しており、サブフレーム#1では、逆の対応関係となっている。すなわち、サブフレーム番号に応じて、バンドリンググループと当該バンドリンググループを構成コードワードブロックが属するCWとの対応関係が入れ替えられている。なお、CCにおけるバンドリンググループと当該バンドリンググループを構成コードワードブロックが属するCWとの対応関係は、次のように定式化することができる。下記式中のＡ／Ｎ番号は、バンドリンググループの識別番号を意味する。
Ａ／Ｎ番号＝（ＣＷの番号＋ＣＣ番号＋サブフレーム番号）ＭＯＤ（Ａ／Ｎ数）
【０１０１】
このようなバンドリングルールを用いることにより、バンドリンググループの構成コードワードブロック数がバンドリンググループ間で均一に近づくので、システム伝送効率を向上することができる。ここでは、バンドリンググループを２つとして説明したが、３以上であっても良い。
【０１０２】
なお、図９では、サブフレーム#0、#2で同一の対応関係としたが、サブフレーム#0、#1、#2の全てで異なる対応関係としてもよい。例えば、3個のコードワードが用いられることを想定して、バンドリンググループと当該バンドリンググループを構成するコードワードブロックが属するCWとの対応関係を次のように定めてもよい。サブフレーム#0では、第１〜３のバンドリンググループに対して、CW#0、#1、#2のコードワードブロックをそれぞれ対応させる。また、サブフレーム#1では、第１〜３のバンドリンググループルに対して、CW#1、#2、#0のコードワードブロックをそれぞれ対応させる。また、サブフレーム#2では、第１〜３のバンドリンググループに対して、CW#2、#0、#1のコードワードブロックをそれぞれ対応させる。このようなバンドリングルールによっても、複数のサブフレームの全体では、バンドリンググループの構成コードワードブロック数がバンドリンググループ間で均一に近づくので、システム伝送効率を向上することができる。
【０１０３】
また、図９では、任意のサブフレームにおいて、隣接するCC間の対応関係は、入れ替わっているが、各サブフレームにおいて、対応関係が入れ替わるCC間隔を変更してもよい。例えば、サブフレーム#0では、CC番号に関わらず、第１及び２のバンドリンググループに対して、CW#0、#1を常に対応づける。また、サブフレーム#1では、CCにおけるバンドリンググループと当該バンドリンググループを構成コードワードブロックが属するCWとの対応関係を１CC間隔(つまり、隣接するCC)で入れ替える。また、サブフレーム#2では、CCにおけるバンドリンググループと当該バンドリンググループを構成コードワードブロックが属するCWとの対応関係を２CC間隔で入れ替える。このようなバンドリングルールによっても、複数のサブフレームの全体では、バンドリンググループの構成コードワードブロック数が均一に近づくので、システム伝送効率を向上することができる。
【０１０４】
［２−２−２］バンドリングルール５
図１０は、バンドリングルール５の説明に供する図である。図１０において、同じCC番号のCCにおけるバンドリンググループと当該バンドリンググループを構成するコードワードブロックが属するCWとの対応関係は、サブフレームに関わらず、一致する。すなわち、すべてのサブフレームで、バンドリンググループと当該バンドリンググループを構成コードワードブロックが属するCWとの対応関係は、一致する。また、１つのサブフレームに着目すると、バンドリングルール１と同様に、CCにおけるバンドリンググループと当該バンドリンググループを構成するコードワードブロックが属するCWとの対応関係が、CC番号に応じて入れ替えられている。
【０１０５】
ここで、800MHzと3GHzとが使用帯域となる場合がある。すなわち、キャリア周波数が離れた、複数のCCが用いられる場合がある。このような場合には、CC間で、伝搬環境(又は、セル間干渉)が全く異なる。このため、CC間でのA/Nに関する相関（つまり、データ復号誤りの相関）は、サブフレーム間での相関と比較して、低い。そこで、バンドリングルール５では、同じCC番号のCCにおけるバンドリンググループと当該バンドリンググループを構成するコードワードブロックが属するCWとの対応関係を、サブフレームに関わらず、一致させている。なお、バンドリンググループと当該バンドリンググループを構成するコードワードブロックが属するCWとの対応関係は、次のように定式化することができる。下記式中のＡ／Ｎ番号は、バンドリンググループの識別番号を意味する。また、ここでは、バンドリンググループを２つとして説明したが、３以上であっても良い。
Ａ／Ｎ番号＝（ＣＷ番号＋ＣＣ番号）ＭＯＤ（Ａ／Ｎ数）
【０１０６】
［２−２−３］バンドリングルール６
図１１は、バンドリングルール６の説明に供する図である。図１１において、同じサブフレームにおける、バンドリンググループと当該バンドリンググループを構成するコードワードブロックが属するCWとの対応関係は、CC番号に関わらず、一致する。また、サブフレーム間では、バンドリンググループと当該バンドリンググループを構成するコードワードブロックが属するCWとの対応関係が入れ替わっている。
【０１０７】
ここで、バンドリングルールの対象となっている複数のサブフレームが互いに時間的に離れている場合又はバンドリングルールの対象となっている複数のCCが互いに周波数軸上で近い場合などでは、CC間でのA/Nに関する相関が、サブフレーム間での相関と比較して、高い。そこで、バンドリングルール６では、同じサブフレームにおける、バンドリンググループと当該バンドリンググループを構成コードワードブロックが属するCWとの対応関係を、CC番号に関わらず、一致させる。なお、バンドリンググループと当該バンドリンググループを構成コードワードブロックが属するCWとの対応関係は、次のように定式化することができる。下記式中のＡ／Ｎ番号は、バンドリンググループの識別番号を意味する。また、ここでは、バンドリンググループを２つとして説明したが、３以上であっても良い。
Ａ／Ｎ番号＝（ＣＷ番号＋サブフレーム番号）ＭＯＤ（Ａ／Ｎ数）
【０１０８】
［３］実施の形態３
実施の形態３は、非MIMOモードの場合のバンドリングルールに関する。実施の形態３に係る基地局及び端末の基本構成は、実施の形態１に係る基地局１００及び端末２００と共通するので、図４及び５を援用して説明する。
【０１０９】
図１２は、バンドリングルール７の説明に供する図である。ここでは、基地局１００と端末２００との間では、非MIMOモードの通信が行われている。すなわち、１つのコードワードのみが用いられる通信が、基地局１００と端末２００との間で行われている。
【０１１０】
図１２において、第１の束応答信号（A/N#0）を形成する際に用いられる第１のバンドリンググループと、第２の束応答信号を形成する際に用いられる第２のバンドリンググループとが示されている。具体的には、第１のバンドリンググループは、CC#0にマッピングされるコードワードブロック及びCC#2にマッピングされるコードワードブロックから構成される。一方、第２のバンドリンググループは、CC#1にマッピングされるコードワードブロックから構成される。すなわち、複数のCCの内の一部と対応づけられるバンドリンググループと、残りのCCに対応づけられるバンドリンググループとは、異なっている。
【０１１１】
より詳細には、CCとバンドリンググループとの対応関係が、CC番号に応じて入れ替えられている。図１２では、偶数のCC番号は、第１のバンドリンググループと対応づけられる一方、奇数のCC番号は、第２のバンドリンググループと対応づけられている。
【０１１２】
このようなバンドリングルールを用いることにより、非MIMOモードの場合にも、各バンドリンググループの構成コードワードブロック数を小さくしつつ、バンドリンググループで均一に近づけることができるので、システム伝送効率を向上することができる。
【０１１３】
また、通常、全CCが非MIMOモードの場合には、CCごと1つのA/Nが存在するため、Bundling対象とするCC数(CW数)を全てのバンドリンググループでほぼ均一にするためには、BundlingするCCの組み合わせを基地局で決定し、端末局に通知する必要がある。例えば、CC#0とCC#1とをBundlingして第１の束応答信号（A/N#0）を生成し、CC#2のA/Nを第２の束応答信号（A/N#1）とする。これに対して、バンドリングルール７をバンドリングルール１〜６と組み合わせることにより、非MIMOモードおよびMIMOモードに関わらず、また、非MIMOモードとMIMOモードとが複数のCCで混在している場合でも、１つのルールでバンドリング制御を行うことができる。
【０１１４】
［４］他の実施の形態
（１）MIMOモードと非MIMOモードとの切り分けを次のようにしてもよい。すなわち、LTEで規定されるTransmission mode 3、4（つまり、2CWの送信がサポートされる送信モード）をMIMOモードとし、それ以外のTransmission mode（つまり、1CWのみが送信される送信モード）を非MIMOモードとしてもよい。
【０１１５】
（２）上記説明においては、主に、バンドリンググループが２つの場合について説明した。しかしながら、これに限定されるものではなく、バンドリンググループは、３つ以上であってもよい。また、上記説明においては、２つの束応答信号をQPSK変調して送信するとして説明したが、それぞれ独立に送信してもよい。
【０１１６】
（３）上記各実施の形態においては、バンドリンググループと当該バンドリンググループを構成するコードワードブロックが属するCWとの対応関係を説明した。しかしながら、これに限定されるものではなく、バンドリンググループとトランスポートブロック(TB)との対応関係、バンドリンググループとレイヤとの対応関係を決めるようにしてもよい。ここで、TBは、CWにマッピングされるものであり、TB#0、TB#1がCW#0、CW#1にそれぞれマッピングされる。このとき、TB#0、TB#1とCW#0、CW#1とがそれぞれ対応付けられる場合、又は、TB#0、TB#1がCW#1、CW#0とそれぞれ対応付けられる場合などがある。また、レイヤは、各CWが送信される空間チャネルを表す。そのため、CW#0、#1がレイヤ#0、#1にそれぞれ割当てられる場合、CW#0、#1がレイヤ#1、#0にそれぞれ割当てられる場合、さらには、スロット間でCWとレイヤとの対応関係を入れ替える場合などがある。
【０１１７】
各CCでCWが1つに制限されている場合には、CW#0を送るかCW#1を送るかを各CCで切り換えてもよい。
【０１１８】
また、バンドリンググループとアンテナとの対応関係を入れ替えてもよい。
【０１１９】
（４）また、バンドリンググループと当該バンドリンググループを構成するコードワードブロックが属するCWとの対応関係を定義するCCを下記としてもよい。
第１に、システムで決められるCCの中で、バンドリンググループと当該バンドリンググループを構成するコードワードブロックが属するCWとの対応関係を入れ替えてもよい。すなわち、システムで5CCが用いられる場合には、リソースが割り当てられたCCに関わらず、5CCでコードワードとアンテナとの対応関係を規定する。すなわち、5CCでコードワードとアンテナとの対応関係を入れ替える。
【０１２０】
また、第２に、端末ごとに設定される下りデータが割り当てられる可能性のあるCCの中で、バンドリンググループと当該バンドリンググループを構成するコードワードブロックが属するCWとの対応関係を規定してもよい。端末ごとに設定される下りデータが割り当てられる可能性のあるCC群は、LTE-Aでは、UE DL component carrier setと呼ばれる。
【０１２１】
また、第３に、端末ごとにactivateされたCCの中でバンドリンググループと当該バンドリンググループを構成するコードワードブロックが属するCWとの対応関係を規定してもよい。
【０１２２】
また、第４に、PDCCHで下りデータを割り当てたCCの中で、バンドリンググループと当該バンドリンググループを構成するコードワードブロックが属するCWとの対応関係を規定してもよい。
【０１２３】
（５）複数のキャリア周波数（例えば、800MHz、3GHzなど)が用いられる場合には、キャリア周波数ごとに、A/N bundlingしてもよい。キャリア周波数が異なると伝搬環境(またはセル間干渉)が全く異なるため、異なるグループとしてA/N bundlingとすることで再送効率を高めることができる。
【０１２４】
（６）重要な情報を送信するCC（Anchorキャリア）と、重要性の低い情報を送信するCC（AnchorキャリアでないCC）とで、バウンドリンググループを異ならせてもよい。こうすることで、重要な情報が送信されるAnchorキャリアで独立にA/N bundlingすることができるので、重要情報の伝達精度を高めることができる。
【０１２５】
（７）バンドリンググループと当該バンドリンググループを構成するコードワードブロックが属するCWとの対応関係を定義したが、バンドリンググループとサブフレームまたはCCの対応関係と置き換えてもよい。例えば、A/N＃０のバンドリンググループをサブフレーム＃０におけるCC#0, CC#2の全CW, サブフレーム＃１におけるCC#1の全CWと対応付け、A/N＃１のバンドリンググループをサブフレーム＃１におけるCC#0, CC#2の全CW, サブフレーム＃０におけるCC#1の全CWと対応付けてもよい。こうすることで、一定のCCのみでデータ送信がある場合でもサブフレームに応じてA/N＃０、A/N＃１のバンドリンググループに切り替わるため、一方のバンドリンググループに偏ることが減少する。これにより、システム伝送効率を向上できる端末装置及び応答信号送信方法を提供できる。
【０１２６】
（８）上記各実施の形態ではアンテナとして説明したが、本発明はアンテナポート（antenna port）でも同様に適用できる。
【０１２７】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１２８】
例えば3GPP LTEにおいては、アンテナポートが何本の物理アンテナから構成されるかは規定されず、基地局が異なる参照信号（Reference signal）を送信できる最小単位として規定されている。
【０１２９】
また、アンテナポートはプリコーディングベクトル（Precoding vector）の重み付けを乗算する最小単位として規定されることもある。
【０１３０】
また、Component Carrier（CC）は物理セル番号とキャリア周波数番号で定義されてもよく，セルと呼ばれることもある。
【０１３１】
（９）上記各実施の形態では、本発明をハードウェアで構成する場合を例にとって説明したが、本発明はソフトウェアで実現することも可能である。
【０１３２】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３３】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１３４】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１３５】
２０１０年１月６日出願の特願２０１０−００１３７５の日本出願に含まれる明細書、図面および要約書の開示内容は、すべて本願に援用される。
【産業上の利用可能性】
【０１３６】
本発明の端末装置及び応答信号送信方法は、バンドリングルールを工夫することにより、システム伝送効率を向上できるものとして有用である。
【符号の説明】
【０１３７】
１００  基地局
１０１  設定部
１０２  制御部
１０４  ＰＤＣＣＨ生成部
１０５，１０７，１０８  符号化・変調部
１０６  割当部
１０９  多重部
１１０，２１３  ＩＦＦＴ部
１１１，２１４  ＣＰ付加部
１１２，２１５  送信ＲＦ部
１１３，２０１  アンテナ
１１４，２０２  受信ＲＦ部
１１５，２０３  ＣＰ除去部
１１６，２０４  ＦＦＴ部
１１７  抽出部
１１８  ＩＤＦＴ部
１１９  データ受信部
１２０  ＡＣＫ／ＮＡＣＫ受信部
２００  端末
２０５  分離部
２０６  設定情報受信部
２０７  ＰＤＣＣＨ受信部
２０８  ＰＤＳＣＨ受信部
２０９，２１０  変調部
２１１  ＤＦＴ部
２１２  マッピング部
２１６  Ａ／Ｎバンドリング部
【図１】
2011083755.tif 000003
【図２】
2011083755.tif 000004
【図３】
2011083755.tif 000005
【図４】
2011083755.tif 000006
【図５】
2011083755.tif 000007
【図６】
2011083755.tif 000008
【図７】
2011083755.tif 000009
【図８】
2011083755.tif 000010
【図９】
2011083755.tif 000011
【図１０】
2011083755.tif 000012
【図１１】
2011083755.tif 000013
【図１２】
2011083755.tif 000014
【国際調査報告】
2011083755.tif 000015
2011083755.tif 000016